【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
電源のエネルギー伝達要素に結合されるスイッチと、
前記スイッチのスイッチングを制御して、前記電源の出力を調整するように結合される駆動信号を生成するコントローラと、
前記スイッチを流れる電流を可変の電流制限値に制限するように前記駆動信号を調整する、前記コントローラ内部に含まれる電流リミタとを備え、前記可変の電流制限値は、前記エネルギー伝達要素に結合される入力ライン電圧に応答して、前記電流リミタによって設定され、前記可変の電流制限値は、前記スイッチのスキップされたスイッチング・サイクルの後に生じる第１のスイッチング・サイクル中に、過電流条件が存在しない場合、第１の電流制限値に設定される、スイッチング調整回路。
【請求項２】
前記可変の電流制限値は、前記スイッチの前記スキップされたスイッチング・サイクルの後に生じる前記第１のスイッチング・サイクル中に、前記過電流条件が存在する場合、第２の電流制限値に設定される、請求項１に記載のスイッチング調整回路。
【請求項３】
前記第１の電流制限値は、前記第２の電流制限値より大きい、請求項２に記載のスイッチング調整回路。
【請求項４】
前記第１の電流制限値は、前記エネルギー伝達要素に結合される公称入力ライン電圧、または、比較的低い入力ライン電圧に相当する、請求項１に記載のスイッチング調整回路。
【請求項５】
前記第２の電流制限値は、前記エネルギー伝達要素に結合される比較的高い入力ライン電圧に相当する、請求項２に記載のスイッチング調整回路。
【請求項６】
前記スイッチの前記スキップされたスイッチング・サイクルの後に生じる前記第１のスイッチング・サイクルは、前記電源の不連続導通動作モードに相当する、請求項１に記載のスイッチング調整回路。
【請求項７】
前記エネルギー伝達要素内のエネルギーは、前記スイッチの前記スキップされたスイッチング・サイクル中、０になる、請求項１に記載のスイッチング調整回路。
【請求項８】
前記過電流条件は、前記スイッチのスイッチング・サイクル中、前記スイッチの最大オン時間が生じる前、前記スイッチを流れる前記電流が前記可変の電流制限値を超えた場合に生じる、請求項１に記載のスイッチング調整回路。
【請求項９】
前記コントローラを含む集積回路をさらに備える、請求項１に記載のスイッチング調整回路
。
【請求項１０】
前記集積回路が前記スイッチをさらに含む、請求項９に記載のスイッチング調整回路。
【請求項１１】
エネルギー伝達要素に結合されたスイッチをスイッチングして、前記エネルギー伝達要素を介するエネルギーの伝達を調整するステップと、
前記スイッチのスキップされたスイッチング・サイクルの後に生じる第１のスイッチング・サイクル中、過電流条件が存在しない場合、公称入力ライン電圧、または、比較的低い入力ライン電圧を識別するステップと、
前記エネルギー伝達要素に結合された公称入力ライン電圧、または、比較的低い入力ライン電圧が存在する場合、前記スイッチを通る電流を第１の電流制限値に制限するステップと、
前記エネルギー伝達要素に結合された比較的高い入力ライン電圧が存在する場合、前記スイッチを通る前記電流を第２の電流制限値に制限するステップとを備える、方法。
【請求項１２】
前記スイッチのスキップされたスイッチング・サイクルの後に生じる第１のスイッチング・サイクル中、過電流条件が存在する場合、比較的高い入力ライン電圧を識別するステップをさらに備える、請求項１１に記載の方法。
【請求項１３】
前記スイッチを通る前記電流が、可変の電流制限値を超えた場合、前記過電流条件を識別するステップをさらに備え、前記可変の電流制限値は、少なくとも前記第１の電流制限値と前記第２の電流制限値のいずれかである、請求項１１に記載の方法。
【請求項１４】
電源の入力ライン電圧と出力との間に結合されたエネルギー伝達要素と、
前記エネルギー伝達要素の入力に結合されて、電源の前記入力から電源の前記出力へのエネルギーの伝達を調整するスイッチと、
前記スイッチに結合されて、前記スイッチのスイッチングを制御するコントローラと、
前記スイッチを通る電流を可変の電流制限値に制限するように、前記コントローラ内部に含まれる電流リミタとを備え、前記可変の電流制限値は、前記エネルギー伝達要素に結合される前記入力ライン電圧に応答して、前記電流リミタによって設定される、電源。
【請求項１５】
前記可変の電流制限値は、前記入力ライン電圧が、公称電圧、または、比較的低い電圧である場合、第１の電流制限値に設定される、請求項１４に記載の電源。
【請求項１６】
前記入力ライン電圧は、電源の不連続導通動作モードの第１のスイッチング・サイクル中、過電流条件が存在しない場合、前記公称電圧、または、前記比較的低い電圧である、請求項１５に記載の電源。
【請求項１７】
前記可変の電流制限値は、前記入力ライン電圧が、比較的高い電圧である場合、第２の電流制限値に設定される、請求項１５に記載の電源。
【請求項１８】
前記入力ライン電圧は、電源の不連続導通動作モードの第１のスイッチング・サイクル中、過電流条件が存在する場合、前記比較的高い電圧である、請求項１７に記載の電源。
【請求項１９】
電源のエネルギー伝達要素に結合されるスイッチと、
前記スイッチに結合されて、出力を調整するように前記スイッチのスイッチングを制御するコントローラとを備え、前記コントローラは、スイッチング期間において前記スイッチを周期的にスイッチングし、
前記コントローラ内部に含まれ、前記スイッチに結合されて、前記スイッチ内の電流が、可変の電流制限を超えると、前記スイッチをオフにする電流リミタをさらに備え、前記電流リミタは、前記スイッチ内の前記電流の値間の時間の測定に応答して、前記可変の電流制限を調整する、スイッチング調整回路。
【請求項２０】
前記電流リミタは、前記スイッチ内の前記電流が、スイッチング期間内に第１の電流値から第２の電流値まで上昇するのにかかる時間を測定するように結合され、前記電流リミタは、前記測定された時間に応答して、前記可変の電流制限を設定するように結合される、請求項１９に記載のスイッチング調整回路。
【請求項２１】
前記電流リミタは、前記測定された時間が、基準時間未満ではなかった場合、前記可変の電流制限を第１の電流制限値に設定するように結合され、前記電流リミタは、前記測定された時間が、前記基準時間未満であった場合、前記可変の電流制限を第２の電流制限値に設定するように結合される、請求項１９に記載のスイッチング調整回路。
【請求項２２】
前記第１の電流値は実質的に０であり、前記第２の電流値は電流制限値である、請求項１９に記載のスイッチング調整回路。
【請求項２３】
前記スイッチング期間中、不連続導通動作モードで動作するように結合される、請求項１９に記載のスイッチング調整回路。
【請求項２４】
前記コントローラと前記スイッチが集積回路内部に含まれる、請求項１９に記載のスイッチング調整回路。
【請求項２５】
エネルギー伝達要素に結合されたスイッチをスイッチングして、前記エネルギー伝達要素を介するエネルギーの伝達を調整するステップと、
前記スイッチ内の電流が、スイッチング期間内に第１の電流値から第２の電流値まで上昇するのにかかる時間を測定するステップと、
前記測定された時間に応答して、可変の電流制限を調整するステップとを備える、方法。
【請求項２６】
前記第２の電流値まで上昇した前記スイッチ内の前記電流に応答して、前記スイッチをオフにするステップをさらに備え、前記第１の電流値は実質的に０である、請求項２５に記載の方法。
【請求項２７】
前記スイッチング調整器が、不連続導通動作モードで動作していると判定するステップをさらに備える、請求項２５に記載の方法。
【請求項２８】
前記可変の電流制限を調整するステップは、
前記測定された時間が、基準時間未満ではない場合、前記可変の電流制限を第１の電流制限値に設定するステップと、
前記測定された時間が、前記基準時間未満である場合、前記可変の電流制限を第２の電流制限値に設定するステップと、
エネルギー伝達要素に結合されたスイッチをスイッチングさせて、前記エネルギー伝達要素を介するエネルギーの伝達を調整するステップと、
前記スイッチ内の電流が、スイッチング期間内に第１の電流値から第２の電流値まで上昇するのにかかる時間を測定するステップと、
前記測定された時間に応答して、可変の電流制限を調整するステップとを含む、請求項２５に記載の方法。